(57)【要約】      （修正有）【課題】表示デバイスに伝送する画素数を少なくするとともに動画ぼやけを低減することが可能な画像表示方法を提供する。【解決手段】受信した画像信号を再サンプリングするサンプリング部３と、サンプリング部３で再サンプリングされた少なくとも２枚の画像を合成する画像合成部４と、画像合成部３が合成した１枚の画像を画素ずらしによって複数のサブフレームで表示する画像表示部６とを備え、サンプリング部６は、少なくとも２種類のサンプリング位相を有し、連続するフレーム間で、異なるサンプリング位相を用いて画像信号を再サンプリングするとともに、画像合成部４は、サンプリング部３において異なる位相で再サンプリングされた少なくとも２枚の画像を合成することで、複数の異なる時間の画像を１枚の画像に合成する。【選択図】図１
2008286908.tif 000002
【特許請求の範囲】
【請求項１】
時間方向及び空間方向に離散したデータで構成される画像信号を受信して、該受信した画像信号を画素ずらし表示技術を用いて該受信した画像信号より少ない画素数で高密度表示を行う画像表示装置であって、
外部から入力される画像信号を受信する画像受信部と、
該受信した画像信号を再サンプリングするサンプリング部と、
前記サンプリング部で再サンプリングされた少なくとも２枚の画像を合成する画像合成部と、
前記画像合成部が合成した１枚の画像を画素ずらしによって複数のサブフレームで表示する画像表示部とを備え、
前記サンプリング部は、少なくとも２種類のサンプリング位相を有し、連続するフレーム間で前記異なるサンプリング位相を用いて画像信号を再サンプリングするとともに、
前記画像合成部は、前記サンプリング部において異なる位相で再サンプリングされた少なくとも２枚の画像を合成することで、複数の異なる時間の画像を１枚の画像に合成する
ことを特徴とする画像表示装置。
【請求項２】
前記サンプリング部の前記少なくとも２種類のサンプリング位相は、前記画像表示部の画素ずらしを用いて表示される各サブフレームの画素の表示位置に対応したものであることを特徴とする請求項１に記載の画像表示装置。
【請求項３】
前記サンプリング位相の数が、前記画像表示部のサブフレーム数と同じであることを特徴とする請求項１に記載の画像表示装置。
【請求項４】
前記画像合成部が合成に用いる画像の枚数が、前記画像表示部のサブフレーム数と同じであることを特徴とする請求項１に記載の画像表示装置。
【請求項５】
時間方向及び空間方向に離散したデータで構成される画像信号を受信して、該受信した画像信号を画素ずらし表示技術を用いて該受信した画像信号より少ない画素数で高密度表示を行う画像表示装置であって、
外部から入力される画像信号を受信する画像受信部と、
該受信した画像信号を再サンプリングするサンプリング部と、
該受信した画像信号に対して時間的に中間に位置する補間画像を少なくとも１枚生成する補間画像生成部と、
前記サンプリング部で再サンプリングされた画像と前記補間画像生成部が生成した補間画像を空間的に合成する画像合成部と、
前記画像合成部が合成した１枚の画像を画素ずらしによって複数のサブフレームで表示する画像表示部とを備え、
前記画像合成部は、前記サンプリング部によってサンプリングされた画像と前記補間画像生成部で生成した補間画像を用いて、複数の異なる時間の画像を１枚の画像に合成することを特徴とする画像表示装置。
【請求項６】
前記複数の時間は、前記画像表示部の画素ずらしを用いて表示される１つのサブフレームの画素の表示位置に対応したものであることを特徴とする請求項５に記載の画像表示装置。
【請求項７】
前記画像合成部で用いるサンプリングされた画像の数と補間画像の数の合計が前記画像表示部のサブフレーム数と同じであることを特徴とする請求項５に記載の画像表示装置。
【請求項８】
前記補間画像生成部で生成する補間画像の画素の位置が、前記サンプリング部で再サンプリングされた画素の位置と異なることを特徴とする請求項５に記載の画像表示装置。
【請求項９】
時間方向及び空間方向に離散したデータで構成される画像信号を受信して、該受信した画像信号を画素ずらし表示技術を用いて該受信した画像信号より少ない画素数で高密度表示を行う画像表示方法であって、
受信した画像信号を再サンプリングするサンプリング工程と、
前記サンプリング工程で再サンプリングされた少なくとも２枚の画像を合成する画像合成工程と、
前記画像合成工程で生成した１枚の画像を画素ずらしによって複数のサブフレームで表示する画像表示工程とを備え、
前記画像合成工程は、前記画像表示工程の複数のサブフレームの各々において、前記サンプリング工程でサンプリングされた複数枚の画像が順次表示されるように画像を合成する
ことを特徴とする画像表示方法。
【請求項１０】
時間方向及び空間方向に離散したデータで構成される画像信号を受信して、該受信した画像信号を画素ずらし表示技術を用いて該受信した画像信号より少ない画素数で高密度表示を行う画像表示方法であって、
受信した画像信号を再サンプリングするサンプリング工程と、
受信した画像信号に対して時間的に中間に位置する少なくとも１枚の画像を生成する補間画像生成工程と、
前記サンプリング工程で再サンプリングされた画像と前記補間画像生成工程で生成した補間画像を用いて１枚の画像を合成する画像合成工程と、
前記画像合成工程で合成された１枚の画像を画素ずらしによって複数のサブフレームで表示する画像表示工程とを備え、
前記画像合成工程では、前記サンプリング工程で再サンプリングされた画像と前記補間画像生成工程で生成された補間画像を用いて、複数の異なる時間の画像を１枚の画像に合成する
ことを特徴とする画像表示方法。
【請求項１１】
１枚の画像信号を画素ずらしによって複数のサブフレームとして表示する画素ずらし表示に用いる画像信号を生成する画像発生装置であって、
連続した複数のフレームの画像を発生する画像発生部と、
前記画像発生部で発生した画像信号を再サンプリングするサンプリング部と、
前記サンプリング部で再サンプリングされた少なくとも２枚の画像を合成する画像合成部と、
前記画像合成部が合成した画像を送出する画像送信部とを備え、
前記サンプリング部は、少なくとも２種類のサンプリング位相を有し、連続するフレーム間で前記異なるサンプリング位相を用いて画像信号を再サンプリングするとともに、
前記画像合成部は、前記サンプリング部において異なる位相で再サンプリングされた少なくとも２枚の画像を合成することで、複数の異なる時間の画像を１枚の画像に合成する
ことを特徴とする画像発生装置。
【請求項１２】
１枚の画像信号を画素ずらしによって複数のサブフレームとして表示する画素ずらし表示に用いる画像信号を生成する画像発生方法であって、
１枚の画像を複数の位相の画素で構成し、
前記複数の位相の画素に対して、それぞれ異なる時間の画像情報を与えるとともに、
前記複数の位相の画素を合成して１枚の画像信号として送出する
ことを特徴とする画像発生方法。
【発明の詳細な説明】
【技術分野】
【０００１】
この発明は、画像表示装置及び方法、並びに画像発生装置及び方法に関する。
【背景技術】
【０００２】
液晶、プラズマ、ＥＬ（エレクトロルミネッセンス）やＤＭＤ（デジタルミラーデバイス）などのようにミラーでの反射や光学的な干渉によって離散的に配置されたマトリクス状の画素を変調して画像を表示する表示デバイスは、薄型テレビ、プロジェクションテレビの他、プロジェクターやコンピュータ用のモニターなど様々な画像表示装置に用いられている。近年、ハイビジョン放送やコンピュータの処理速度の飛躍により、ディスプレイの高精細化が急速に進んでいる。これに伴い、表示デバイスの高精細化も進められているが、表示デバイスの高精細化は高い加工精度が必要になるだけでなく、歩留まりの低下などによるコストアップの要因となっている。
【０００３】
このような背景の中、画素ずらし（画素シフト、ウォブリング）技術を用いて、入力される画像の画素数よりも少ない画素数で高精細画像を表示する方法が、下記特許文献１及び特許文献２に開示されている。特許文献１では、動きの多い画像（動画）と動きの少ない画像（静止画）で画素ずらしを行うか否かを切り替えることで、動画における画質の劣化と静止画における高精細表示を両立する方法が開示されている。また、特許文献２によれば、テレビ信号の伝送における常套手段として用いられるインタレース方式に対し、インタレース信号と同期して画素をずらして表示する方法が開示されている。
【０００４】
【特許文献１】特許第３８４７３９８号（段落００１８、図３）
【特許文献２】特許第３８６９９５３号（段落００４２、段落００４３、図１）
【発明の開示】
【発明が解決しようとする課題】
【０００５】
マトリクス状に画素が配置された表示デバイスは、駆動するアクティブマトリクス型の駆動回路を用いた液晶やＥＬのようなホールド型表示方法、プラズマやＤＭＤのような光の点灯時間で階調を表現するパルス幅変調型表示方法に分類することが可能で、ＣＲＴ（例陰極線管、ブラウン管）で用いられているインパルス型の表示方法とは区別される。これらのホールド型表示方法、及びパルス幅変調型表示方法では、動画を見た際の画像の表示位置と視点の動きのずれにより、動画ぼやけをはじめとする画質劣化が発生する。この動画ぼやけを改善するためには、フレーム周波数を高くして、表示される画像の単位時間当たりの枚数を多くしなければならないという課題があった。
【０００６】
一方、高いフレーム周波数の画像表示は、表示デバイスに対して単位時間に伝送する画素数が増えてしまうため、低コストで実現することが難しいという課題があった。
【０００７】
本発明は上記の課題に鑑みてなされたものであり、表示デバイスに伝送する画素数を少なくするとともに動画ぼやけを低減することが可能な画像表示方法を提供することを目的とする。
【課題を解決するための手段】
【０００８】
本発明画像表示装置の、
時間方向及び空間方向に離散したデータで構成される画像信号を受信して、該受信した画像信号を画素ずらし表示技術を用いて該受信した画像信号より少ない画素数で高密度表示を行う画像表示装置であって、
外部から入力される画像信号を受信する画像受信部と、
該受信した画像信号を再サンプリングするサンプリング部と、
前記サンプリング部で再サンプリングされた少なくとも２枚の画像を合成する画像合成部と、
前記画像合成部が合成した１枚の画像を画素ずらしによって複数のサブフレームで表示する画像表示部とを備え、
前記サンプリング部は、少なくとも２種類のサンプリング位相を有し、連続するフレーム間で前記異なるサンプリング位相を用いて画像信号を再サンプリングするとともに、
前記画像合成部は、前記サンプリング部において異なる位相で再サンプリングされた少なくとも２枚の画像を合成することで、複数の異なる時間の画像を１枚の画像に合成する
ことを特徴とする。
【発明の効果】
【０００９】
本発明によれば、異なる時間の画像情報を１枚の画像に合成し、該合成された複数の時間の画像情報を画素ずらしによって複数のサブフレームとして表示するので、少ない画素数、すなわち単位時間に画像表示部へ伝送する画素数が少なくても、高精細な静止画を表示できるとともに、動画の画質を低下させることなく表示することができる。
【発明を実施するための最良の形態】
【００１０】
実施の形態１．
図１は、本発明の実施の形態１に係る画像表示装置の構成を示すブロック図である。図１に示される画像表示装置は、時間方向及び空間方向に離散したデータで構成される画像信号を受信して、該受信した画像信号を画素ずらし表示技術を用いて該受信した画像信号より少ない画素数で高密度表示を行うものである。
図１には、画像表示装置７の他、画像表示装置７の外部に配置され、画像表示装置７で表示すべき画像を発生する画像発生部１が示されている。画像発生部１は、画像表示装置７に対して電気的に接続されたケーブル上にアナログまたはデジタルの画像信号を出力することで画像信号を伝送するものであっても良く、電波や光等を用いて画像信号を伝送するものであっても良い。
【００１１】
画像発生部１が出力した画像信号Ａは、画像表示装置７の画像受信部２に入力される。画像受信部２は、受信した画像信号Ａを、以降の処理で用いられる画像データに変換する。例えば、画像信号Ａがアナログ信号の場合は、アナログ−デジタル変換、画像信号Ａがシリアルのデジタル画像信号の場合は、シリアル−パラレル変換が行われるなど、伝送方式に合わせた処理を行う。また、受信した画像信号が輝度と色度で表される場合は、赤、緑、青などの色信号で構成される画像信号への変換を行うこととしても良い。
【００１２】
画像受信部２から出力された画像信号Ｂは、サンプリング部３に入力される。
サンプリング部３は、少なくとも２種類のサンプリング位相を有し、連続するフレーム間で、異なるサンプリング位相を用いて画像信号Ｂを再サンプリングする。
再サンプリングされた画像信号Ｃは、画像信号Ｂの画素数より少ない画素数で構成される。ここでは、後述する画像表示部６に用いられる表示デバイスの画素数に再サンプリングされるものとする。
【００１３】
例えば画像表示部６が、入力される画像信号Ａ又Ｂを構成する画素数の１／２の画素数を有するものである場合、サンプリング部３は、２種類のサンプリング位相を有し、画像信号Ｂの１／２の画素をサンプリングし、画像信号Ｃとする。この場合、１つのフレーム（例えば、奇数番目のフレーム）でサンプリングされる画素と、次のフレーム（偶数番目のフレーム）でサンプリングされる画素とは互いに異なり、互いに１画素間隔ずれたものとなる。
サンプリング部３の上記２種類のサンプリング位相は、画像表示部６の画素ずらしを用いて表示される各サブフレームの画素の表示位置に対応したものである。
【００１４】
サンプリング部３から出力された画像信号Ｃは、画像合成部４に入力され、画像合成部４は、画像メモリ５を用いて、少なくとも２フレーム（２枚）の再サンプリングされた画像信号Ｃを空間的に合成して１枚の合成画像信号Ｄを生成する。画像合成部４で合成された合成画像信号Ｄは、画像表示部６に送られる。
【００１５】
画像表示部６は、予め決められた処理により合成画像信号Ｄを複数のサブフレーム画像に分割して、画素の表示位置をずらしながら複数のサブフレーム画像を順次表示する。
【００１６】
図２は、画像表示部６の一例を示す。図示の画像表示部６は、表示用液晶パネル６１と、その表示面側(前方）に配置された画素ずらし素子６４とを備える。画素ずらし素子６４は、偏光方向制御用液晶パネル６２と複屈折素子６３とを有する。
【００１７】
本実施の形態では、表示用液晶パネル６１として、画素が図３（ａ）に示されるように、千鳥格子状に配列されたものが用いられる。千鳥状配列においては、各行においては、１列おきに画素（の中心）が存在し、各列においては１行おきに画素(の中心)が存在する。
【００１８】
画像表示部６はさらに、分配部６５、第１及び第２のフレームメモリ６６、６７、同期信号発生部６８、及び駆動電圧発生部６９を備え、画像合成部４から供給される１画面の画像信号Ｄ（例えば後述の図８に示されるもの）を分配部６５により、１画素おきに（千鳥格子状に）間引いて２フィールドの画像（図３（ｂ）、（ｃ））に分解し、それぞれ第１、第２のフレームメモリ６６、６７に格納する。
第１及び第２のフレームメモリ６６、６７に格納された各フィールドの画像を、同期信号発生部６８によりフィールド毎に読み出して表示用液晶パネル６１に供給して表示させるとともに、その読み出しに同期して駆動電圧発生部６９により偏光方向制御用液晶パネル６２に所定の電圧を選択的に印加する。
【００１９】
第１のフレームメモリ６６に格納されたフィールドの画像（図３（ｂ））を表示する場合には、画像の各画素のデータ（座標値（ｘ，ｙ）の位置のデータ）を、表示用液晶パネル６１の対応する位置の画素（図３（ａ）の座標値（ｘ，ｙ）の位置の画素）の駆動に用い、偏光方向制御用液晶パネル６２に電圧を印加して、表示用液晶パネル６１に表示された画像を、その偏光方向を旋光することなく透過させる。その結果、画像の常光線（成分）Ｒｎが複屈折素子６３を透過し、複屈折素子６３を通して表示用液晶パネル６１を見たとき、図３（ｂ）に白丸で示すように、表示用液晶パネル６１に表示される画像がそのままの位置（第１の位置）に見える。
【００２０】
また、第２のフレームメモリ６７に格納されたフィールドの画像（図３（ｃ））を表示する場合には、画像の各画素のデータ（座標値（ｘ，ｙ）の位置のデータ）を、表示用液晶パネル６１の、対応する位置よりも１画素間隔上に位置する画素（図３（ａ）の座標値（ｘ，ｙ−１））の位置の画素）の駆動に用い、偏光方向制御用液晶パネル６２に電圧を印加せず、表示用液晶パネル６１に表示された画像を、その偏光方向を９０度旋光させる。その結果、画像の異常光線Ｒａが複屈折素子６３を透過し、これにより複屈折素子６３を通して表示用液晶パネル６１を見たとき、図３（ｃ）に白三角で示すように、表示用液晶パネル６１の画像が垂直方向に１画素間隔（１画素ピッチ）下へシフトさせた位置（第２の位置）に見える。
【００２１】
図３（ｂ）に示される画素と、図３（ｃ）に示される画素を合わせたものが図３（ｄ）に示されている。
このようにして、画像の見かけ上の位置、即ち表示位置が切り換えられる。
このような画素のシフト（画素ずらし）による、表示位置の切り替えを行うことで、
相前後する２つのフィールド期間で、表示用液晶パネル６１の２倍の画素数を有する画像を表示する。
【００２２】
以上のように、図２に示す映像表示装置では、１画面を２つのフィールドに分け、第１の位置で第１のフィールドを、第２の位置で第２のフィールドを表示する動作を高速に行うことにより、図３（ｄ）に示すように、表示用液晶パネル６１の画素ピッチ間を補間して、視覚の時間的な積分効果により空間的な解像度の向上を図っている。
【００２３】
図４（ａ）〜（ｅ）は、画像信号Ａ、Ｂ、再サンプリングされた画像信号Ｃと合成画像信号Ｄ、及び画像表示部６で表示される表示画像Ｅの関係を示す図である。
【００２４】
図４（ａ）〜（ｅ）では、各画像信号ＡからＥが時間ごとに示されており、各記号の括弧内の値が時間（フレーム番号）を示している。ここでは、フレーム（０）から（４）までが示されている。
入力された画像信号Ａは、画像受信部２で受信され、画像受信部２から画像信号Ｂが出力される。画像受信部２では、前述の通り、受信した画像信号Ａを後段の処理で必要な画像信号に形式を変換する。画像受信部２が出力した画像信号Ｂは、サンプリング部３に入力され、再サンプリングされる。本実施の形態では、画素ずらしを２サブフレームで構成する場合について説明するので、サンプリング部３は、画像信号Ｂを１／２の画素数に再サンプリングする。サンプリングする画素の配置については、後述する。
【００２５】
サンプリング部３で再サンプリングされた画像信号Ｃは、画像合成部４に入力され、画像合成部４は、２つの隣接するフレームから１枚の合成画像信号Ｄを生成する。図４（ｃ）及び（ｄ）は、画像信号Ｃ（０）と画像信号Ｃ（１）から画像信号Ｄ（０）が合成され、画像信号Ｃ（２）と画像信号Ｃ（３）から画像信号Ｄ（２）が合成される場合を示している。
【００２６】
画像合成部４で合成された合成画像信号Ｄは、画像表示部６に入力される。画像表示部６では、入力された合成画像信号Ｄをサンプリング部３でサンプリングされた２フレームの画像に分解して、２つのサブフレームとして表示する。例えば、入力された画像信号の２フレームの期間を用いて、合成画像信号Ｄ（０）を画像Ｅ（０）と画像Ｅ（１）のサブフレームとして表示する。同様に、合成画像信号Ｄ（２）は、画像Ｅ（２）と画像Ｅ（３）に分解され、入力画像信号の２フレーム期間を用いて表示する。ここで画像表示部６が赤緑青の３原色を同時に表示する場合は、当該期間を用いてサブフレームの画像を表示し、赤緑青の色を順次表示する色順次表示方式の場合は、当該期間を更に色画像の表示期間に分割して表示する。
【００２７】
１サブフレームの表示方法は、表示装置６に用いられる表示デバイスに依存する。
画像表示装置６では、画素ずらし機能を有する任意の表示デバイスが使用できるが、以下、図２及び図３（ａ）〜（ｄ）を参照して説明した表示装置が用いられるものとして説明する。
さらに表示デバイスが表示できる色画像は、赤緑青の３原色に限るものではなく、黄、シアン、マゼンタなどの補色や第二の赤、緑又は青などを含めた４原色以上の表示デバイスを用いることができる。
【００２８】
図５（ａ）及び（ｂ）は、画像受信部２が出力する画像信号Ｂで表される画素の一部を示す図で、それぞれ隣接する２つのフレーム２ｔと２ｔ＋１を示している。破線で描かれた直線の格子点に示した白丸と白三角が各フレームの１画素を示している。
図５（ａ）及び（ｂ）において、画像信号はマトリクス状に配置された画素の値を表すものであり、画面上の画素の位置は、その画面上の水平方向の位置を表す座標値ｘと、水平方向の位置を表す座標値ｙとで表される。そして、画面の左上隅（最も上の行で、最も左の列）の画素の座標値が（ｘ＝０，ｙ＝０）であり、水平方向の座標値ｘは右向きに１列毎に値が１つずつ大きくなり、垂直方向の座標値ｙは下向きに、１行毎に値が１ずつ大きくなるものとする。他の同様の図においても同様である。
【００２９】
図６（ａ）及び（ｂ）は、図５（ａ）及び（ｂ）に示した画像信号Ｂに対してサンプリング部３で再サンプリングする画素を示した図で、フレーム２ｔでは、図６（ａ）に黒丸で示した位置の画素が再サンプリングされ、フレーム２ｔ＋１では、図６（ｂ）に白三角で示した位置の画素が再サンプリングされる場合を示している。ここでは、フレーム２ｔにおける画像信号Ｂの各画素をＰｂ（ｘ，ｙ，２ｔ）で表し、フレーム２ｔ＋１の画像信号Ｂの各画素をＰｂ（ｘ，ｙ，２ｔ＋１）で表す。ここで、ｘとｙは各フレームにおける画素の水平、垂直位置(座標値)を示すものとすると、フレーム２ｔ及びフレーム２ｔ＋１で再サンプリングされる画素は以下の式で表される。
【００３０】
フレーム２ｔでサンプリングされる画素の水平方向の座標値ｘを垂直方向の座標値の関数で表せば、
ｘ＝２・（ｎ−１）＋（ｙ％２）
となり、フレーム２ｔ＋１でサンプリングされる画素の水平方向の座標値ｘを垂直方向の座標値の関数で表せば、
ｘ＝２・（ｎ−１）＋（ｙ＋１）％２
となる。
ただし、ｎは１以上の整数、（ａ％ｂ）はａをｂで割ったときの剰余を示す。
【００３１】
従って、フレーム２ｔでサンプリングされる画素は、
Ｐｂ（２・（ｎ−１）＋（ｙ％２），ｙ，２ｔ）
で表され、フレーム２ｔ＋１でサンプリングされる画素は、
Ｐｂ（２・（ｎ−１）＋（ｙ＋１）％２，ｙ，２ｔ＋１）
で表される。
【００３２】
図７（ａ）及び（ｂ）は、サンプリング部３が出力するフレーム２ｔ及び２ｔ＋１の画像信号Ｃ（２ｔ）とＣ（２ｔ＋１）の一部を示す図である。フレーム２ｔにおける画像信号Ｃの各画素をＰｃ（ｘ，ｙ，２ｔ）で表し、フレーム２ｔ＋１の画像信号Ｃの各画素をＰｃ（ｘ，ｙ，２ｔ＋１）で表す。サンプリング部３は、フレーム２ｔでは、図６（ａ）に示されたＢ（２ｔ）の黒丸の位置の画素を再サンプリングし、その結果（図７（ａ））を画像信号Ｃ（２ｔ）として画像合成部４に出力し、フレーム２ｔ＋１では、図６（ｂ）に示されたＢ（２ｔ＋１）の白三角の位置の画素を再サンプリングし、その結果（図７（ｂ））を画像信号Ｃ（２ｔ＋１）として画像合成部４に出力する。
【００３３】
図８は、画像合成部４が出力する合成画像信号Ｄ（２ｔ）を示す図である。フレーム２ｔにおける合成画像信号Ｄの各画素をＰｄ（ｘ，ｙ，２ｔ）で表す。
画像合成部４では、サンプリング部３から入力されたフレーム２ｔの画像信号Ｃ（２ｔ）とフレーム２ｔ＋１の画像信号Ｃ（２ｔ＋１）の画素を、それぞれのフレームで再サンプリングされた位置に対応して空間的に合成し、１枚の合成画像信号Ｄ（２ｔ）として画像表示部６に出力する。このとき、画像メモリ５は、少なくとも再サンプリングされた１枚の画像信号Ｃを構成する画素を記憶できるだけの記憶容量を持ち、画像合成部４は、画像メモリ５にフレーム２ｔの画像信号Ｃ（２ｔ）を一時的に記憶し、フレーム２ｔ＋１の画像信号Ｃ（２ｔ＋１）が入力されるときに、画像メモリ５に記憶したフレーム２ｔの画像信号Ｃ（２ｔ）を読み出して、画像信号Ｃ（２ｔ）と画像信号Ｃ（２ｔ＋１）の画素と所定の順番で交互に出力することで、合成画像信号Ｄ（２ｔ）を生成する。もちろん、画像メモリ５の記憶容量を再サンプリングされた画像信号Ｃの２枚以上として、２フレーム以上の画素を記憶したのちに、記憶された２フレームの画像信号を所定の順番で交互に読み出して合成画像信号Ｄ（２ｔ）とすることもできる。
【００３４】
図９（ａ）〜（ｄ）は、画像表示部６で画素ずらしを行いながら合成画像信号Ｄ（２ｔ）を表示する表示方法を説明するための図である。図９（ａ）、（ｂ）が画像表示部６の表示画素（Ｐｅ（ｌ，ｍ、２ｔ）、Ｐｅ（ｌ，ｍ、２ｔ＋１））を示し、図９（ｃ）、（ｄ）が画像合成部４で合成された合成画像信号Ｄ（２ｔ）を画像表示部６で２つのサブフレームに分解した画素（Ｐｅ（ｘ，ｙ，２ｔ）、Ｐｅ（ｘ，ｙ，２ｔ＋１））を示している。画像表示部６は、図９（ａ）、（ｂ）に示したとおり、画像信号Ｄを構成する画素数の１／２の画素数で構成される。ここでは、図２及び図３（ａ）〜（ｄ）を参照して述べたように、入力される画像信号に対する１／２の画素が千鳥格子状に配列された場合を示している。
【００３５】
図９（ａ）、（ｃ）は画素ずらしを行わない場合を示し、図９（ｂ）、（ｄ）は画素ずらしを行う場合を示す。図９（ａ）では、画像表示部６の実際の画素の位置と表示位置（見かけ上の位置）が同じであり、実線の正方形（辺が水平方向、垂直方向に対して４５度の角度をなす正方形）で示されている。図９（ｂ）では、実際の画素の位置が点線の正方形で示され、表示位置（見かけ上の位置）が実線の正方形で示されている。図９（ｂ）では、実際の画素の位置に対し、表示位置（見かけ上の位置）は、１画素ピッチ分下にある。
【００３６】
図９（ａ）に示されるように、画像表示部６の画素（画素ずらしがないとした場合の画素）の位置が、
（０，０）、（２，０）、（４，０）、…
（１，１）、（３，１）、（５，１）、…
（０，２）、（２，２）、（４，２）、…
である。
画素ずらしを行った場合、上記の画素の、見かけ上の位置は、図９（ｂ）に示すように、１画素ずつ下がり、それぞれ
（０，１）、（２，１）、（４，１）、…
（１，２）、（３，２）、（５，２）、…
（０，３）、（２，３）、（４，３）、…
となる。一般化すれば、表示部６の座標値（ｘ，ｙ）の画素が、画素ずらしにより、（ｘ，（ｙ＋１））の位置に見える。
フレーム２ｔ＋１の座標値（ｘ，ｙ）の画素のためのデータ（図９（ｄ））は、表示部６の座標値（ｘ，（ｙ−１））の画素の駆動に用いられ、画素ずらしを行う結果、図９（ｂ）に示すように、座標値（ｘ，ｙ）の位置に見える（表示される）。一方、フレーム２ｔの座標値（ｘ，ｙ）の画素のためのデータ（図９（ｃ））は、表示部６の座標値（ｘ，ｙ）の画素の駆動に用いられ、画素ずらしを行わず、図９（ａ）に示すように、座標値（ｘ，ｙ）の位置に見える（表示される）。
【００３７】
言い換えれば、画像表示部６は、入力された画像信号Ｄのうち、
Ｐｄ（２・（ｎ−１）＋（ｙ％２），ｙ，２ｔ）
で表される画素（図９（ｃ））から成る画像Ｅ（２ｔ）を第一のサブフレーム（フレーム２ｔ）で、画素ずらしを行なわずに、画素Ｐｅ（ｘ，ｙ，２ｔ）から成る画像として表示し（図９（ａ））、
Ｐｄ（２・（ｎ−１）＋（ｙ＋１）％２），ｙ，２ｔ＋１）
で表される画素（図９（ｄ））から成る画像Ｅ（２ｔ＋１）を第二のサブフレーム（フレーム２ｔ＋１）で、画素ずらしを行なって、画素Ｐｅ（ｘ，ｙ，２ｔ＋１）として表示する（図９（ｂ））。
ただし、ｎは１以上の整数、（ａ％ｂ）はａをｂで割ったときの剰余を示す。
【００３８】
このように合成画像信号Ｄは、画像表示部６で、画像表示部６の画素ずらし動作に合わせて、２つのサブフレームに分解されて表示される。
【００３９】
図１０は、画像表示部６で表示される２つのサブフレームの表示画像Ｅ（２ｔ）、Ｅ（２ｔ＋１）の表示位置の関係を示した図である。図１０に示されたとおり、表示画像Ｅ（２ｔ）とＥ（２ｔ＋１）の画素は、空間的に異なる位置に表示される。この位置は、サンプリング部３で再サンプリングされた画素の位置と一致しており、サンプリング部３で再サンプリングされた少ない画素数、すなわち単位時間内に伝送する画素数が少なくても、画素密度を落とすことなく表示することができる。
【００４０】
図１１（ａ）〜（ｈ）は、画像表示部６に表示される画像が静止画の場合を示した図である。白丸が明るい画素、黒丸が暗い画素を示している。画像信号Ａを構成する画素は、サンプリング部３で１／２に再サンプリングされ、画像合成部４で２枚のサブサンプリングされた画像を１枚の合成画像信号Ｄに合成し、さらに画像表示部６で、２つのサブフレームとして表示される。ここで、画像信号Ａが静止画の場合、図１１（ａ）〜（ｄ）に示されるように、フレームＡ（０）からＡ（３）は、同じ画像であるので、図１１（ｅ）〜（ｈ）に示すように、フレームＥ（０）からＥ（３）の画像を見た際に、視覚の時間的な積分効果により空間的な解像度（画素数）を失うことなく高精細表示を実現することができる。
【００４１】
図１２（ａ）〜（ｈ）は、画像表示部６に表示される画像が動画の場合を示した図である。図１１と同様に白丸が明るい画素、黒丸が暗い画素である。図１２（ａ）〜（ｄ）では、動画として明るい画素と暗い画素の境目が左から右に移動している場合が示されている。画像信号Ａが動画像の場合、各サブフレームに表示される画像（図１２（ｅ）〜（ｈ））も異なるため、視覚の時間的な積分効果による高精細表示は実現できないが、この画像を見る際の視点も左から右に移動することで、視覚の空間分解能も低下するため、大きな問題を発生することなく、入力された画像と同程度の動画質で表示することができる。
【００４２】
以上説明したように、入力された画像信号に対して複数のフレーム間で異なる位置の画素を再サンプリングし、少なくとも２枚の再サンプリングされた画像を空間的に合成して画像表示部に伝送し、画像表示部では、合成された画像信号を合成前の再サンプリングされた画像に分解し、再サンプリングされた複数の画像を各々の画像の再サンプリング位置で画素を表示することで、少ない画素数、すなわち単位時間に画像表示部へ伝送する画素数が少なくても、高精細な静止画を表示できるとともに、動画の画質を低下させることなく表示することができる。しかも、従来から用いられている、合成画像を２つのサブフレームに分解して、画素ずらしを行いながら、画像を表示する画像表示部６に変更を加えることなく、利用することができる。
【００４３】
なお、上記動作の説明では、画像表示部６における表示画素数が入力画像信号の１／２の画素数の場合について説明したが、画像表示部６における表示画素数を入力画像信号の１／４として、４つの位置に対して画素ずらしをできるようにしても良く、その際は、サンプリング部３で画像信号Ｂの画素数を１／４に再サンプリングし、画像合成部４で４つの連続した画像信号Ｃを空間的に合成して合成画像信号Ｄとすることができる。この場合、画像表示部６に伝送される画素数は、入力画像信号Ａの１／４となる。一般化して言えば、画像表示部６における表示画素数を入力画像信号の１／ｍ（ｍは２以上の整数）として、ｍ個の位置に対して画素ずらしをできるようにしても良く、その際は、サンプリング部３で画像信号Ｂの画素数を１／ｍに再サンプリングし、画像合成部４でｍ個の連続した画像信号Ｃを空間的に合成して合成画像信号Ｄとすることができる。この場合、画像表示部６に伝送される画素数は、入力画像信号Ａの１／ｍとなる。このデータの削減率は、画像表示部６における画素ずらし機能によって決定され、画像表示部６の画素ずらし機能に合わせたサンプリング及び画像合成を選択することができる。
【００４４】
実施の形態２．
図１３は、本発明の実施の形態２に係る画像表示装置の別の構成を示す図である。図１と同様に、図１３には、画像表示装置１２の他、画像表示装置１２の外部に配置され、画像表示装置１２に表示する画像を発生する画像発生部１を記載した。
【００４５】
画像発生部１が出力した画像信号Ａは、画像表示装置１２の画像受信部２に入力される。画像受信部２は、受信した画像信号Ａを、以降の処理で用いられる画像データに変換し、画像信号Ｂとして出力する。
【００４６】
画像受信部２から出力された画像信号Ｂは、サンプリング部３と補間画像生成部１０に入力される。
【００４７】
サンプリング部３は、画像信号Ｂの所定の画素を再サンプリングする。再サンプリングされた画像信号Ｃは、画像信号Ｂの画素数より少ない画素数で構成される。ここでは、後述する画像表示部６に用いられる表示デバイスの画素数に再サンプリングされ、例えば画像表示部６が入力される画像信号Ａを構成する画素数の１／２の画素数で構成される場合、サンプリング部３は、画像信号Ｂの１／２の画素をサンプリングし、画像信号Ｃとする。実施の形態１では、この再サンプリングされる画素が、フレームごとに異なっていたが、本実施の形態では、常に同じ位置の画素をサンプリングする点が異なる。サンプリング部３から出力された画像信号Ｃは、画像合成部１１に入力される。
【００４８】
補間画像生成部１０は、画像受信部２より入力された少なくとも２フレームの画像信号を用いて、補間画像Ｇを生成し、画像合成部１１に出力する。補間画像Ｇの生成動作については、後述する。なお、補間画像生成部１１には、補間画像Ｇを生成するために、その内部に図示しない画像メモリを有している。
【００４９】
画像合成部１１は、画像メモリ５を用いて、サンプリング部３で再サンプリングされた画像信号Ｃと補間画像生成部１０で生成された補間画像Ｇを空間的に合成して１枚の合成画像信号Ｈを生成する。画像合成部１１で合成された合成画像信号Ｈは、画像表示部６に送られ、画像表示部６は、予め決められた処理により合成画像信号Ｈを複数のサブフレーム画像に分割して、画素の表示位置をずらしながら複数のサブフレーム画像を順次表示する。
【００５０】
図１４（ａ）〜（ｌ）は、画像受信部２で受信された画像信号Ａ、サンプリング部３で再サンプリングされた画像信号Ｃ、補間画像生成部１０で生成された補間画像Ｇ、画像合成部１１で合成された画像信号Ｈ、そして画像表示部６が表示する複数のサブフレーム画像Ｅの関係を示す図である。図１４（ａ）〜（ｌ）では、白丸及び白三角が明るい画素を示し、黒丸及び黒三角が暗い画素を示している。図１４（ａ）及び（ｂ）に、フレーム０から１では、明るい画素と暗い画素の境界位置が、右側へ４画素移動した場合が示されている。
【００５１】
図１４（ｃ）及び（ｅ）のＣ（０）及びＣ（１）が、サンプリング部３で再サンプリングされた画像信号を示している。図１４（ｃ）及び（ｅ）の画像信号Ｃ（０）、Ｃ（１）は、画像信号Ａ（０）とＡ（１）あるいは画像信号Ｂ（０）、Ｂ（１）に対して、以下の式で表される画素を再サンプリングしたものである。
【００５２】
Ｐｂ（２・（ｎ−１）＋（ｙ％２），ｙ，２ｔ）
ただし、ｎは１以上の整数、（ａ％ｂ）はａをｂで割ったときの剰余を示す。
【００５３】
実施の形態１では、フレームごとに再サンプリングする画素の位置が異なっていたが、本実施の形態に示すサンプリング部３では、常に同じ位置の画素を再サンプリングする点が異なる。
【００５４】
一方、補間画像生成部１０は、複数の画像信号Ｂより補間画像Ｇを生成する。図１４（ｄ）及び（ｆ）のＧ（０．５）とＧ（１．５）は、補間画像生成部１０が生成した補間画像を示している。補間画像生成部１０は、フレーム０の画像とフレーム１の画像（図１４（ａ）のＡ（０）に対応するＢ（０）と図１４（ｂ）のＡ（１）に対応するＢ（１））から、時間的に２つの画像の中間に位置する画像信号を生成する。図１４（ａ）及び（ｂ）では、画像信号Ａ（０）に対して画像信号Ａ（１）は、画像の明るい部分と暗い部分の境界が右側へ４画素移動しているので、図１４（ｄ）に示される補間画像Ｇ（０．５）の境界部は、画像信号Ａ（０）に対して右側へ２画素移動した状態の画像が生成されることになる。この時間的な補間画像の生成方法として画像の動きを検出することで、画像の動きベクトルを生成し、生成された動きベクトルから２枚あるいはそれ以上の画像信号を用いて、補間画像を生成する方式が知られている。ここに示した補間画像生成部１０は、時間的な補間画像を生成する方式であれば、任意の方式を用いることができることは、言うまでもない。
【００５５】
補間画像生成部１０は、時間的に連続した複数のフレームの中間の時間に相当する補間画像Ｇを生成するが、このとき、生成する画素は、以下の式で示されるサンプリング部３がサンプリングしなかった位置の画素を生成し、補間画像Ｇとして出力する。
【００５６】
Ｐｂ（２・（ｎ−１）＋（ｙ＋１）％２），ｙ，２ｔ＋１）
ただし、ｎは１以上の整数、（ａ％ｂ）はａをｂで割ったときの剰余を示す。
【００５７】
画像合成部１１は、サンプリング部３で再サンプリングされた画像信号Ｃと補間画像生成部１０で生成された補間画像Ｇから空間的な合成により合成画像信号Ｄを生成する。
サンプリング部３で再サンプリングされた画像信号Ｃと、補間画像生成部１０で生成された補間画像Ｇは、複数の異なる時間の画像であり、画像合成部１１は、これらの複数の異なる時間の画像を合成する。
図１４（ｇ）に示された画像信号Ｄ（０）は、図１４（ｃ）、（ｄ）の画像信号Ｃ（０）とＧ（０．５）を合成した結果、図１４（ｈ）の画像信号Ｄ（１）は、図１４（ｅ）、（ｆ）の画像信号Ｃ（１）と画像信号Ｇ（１．５）を合成した結果である。
画像合成部１１で合成された、画像信号Ｃと補間画像Ｇは、画像表示部６の画素ずらしを用いて表示される１つのサブフレームの画素の表示位置に対応したものである。
【００５８】
画像合成部１１で合成された合成画像信号Ｈは、画像表示部６に送られ、画像表示部６は、合成画像信号Ｈを、図１４（ｉ）〜（ｌ）に示されるように複数のサブフレームＥ（０）、Ｅ（０．５）、Ｅ（１）、Ｅ（１．５）…に分割して表示する。画像表示部６におけるサブフレームの表示動作は、実施の形態１と同様であるので、動作の説明は省略する。
【００５９】
このように表示画像Ｅには、入力された画像信号Ａに対して短いフレーム周期の画像を表示することができるので、動画の表示性能（動画のぼやけやジャギーと呼ばれるギクシャクした画像の動き）を向上することができる。
【００６０】
図１５（ａ）〜（ｌ）は、画像信号Ａが静止画の場合の動作を説明するためのものである。静止画の場合は、図１５（ａ）、（ｂ）の画像信号Ａ（０）と画像信号Ａ（１）の間で画像の変化が無いので、図１５（ａ）、（ｂ）のＡ（０）とＡ（１）に対して時間的に中間の位置の補間画像（図１５（ｄ）、（ｆ））も図１５（ｃ）、（ｅ）の画像信号（Ｃ０）、（Ｃ１）と同じ画像となる。補間画像生成部１０は、
Ｐｂ（２・（ｎ−１）＋（ｙ＋１）％２，ｙ，２ｔ＋１）
（ただし、ｎは１以上の整数、（ａ％ｂ）はａをｂで割ったときの剰余を示す。）の位置の画素（図１５（ｄ）、（ｅ））を生成するので、補間画像Ｇには、サンプリング部３で再サンプリングされなかった画素位置の画像信号が生成されることになる。すなわち画像合成部１１で図１５（ｃ）、（ｄ）の画像信号Ｃ（０）とＧ（０．５）を合成した画像信号Ｄ（０）（図１５（ｇ））は、図１５（ａ）の画像信号Ａ（０）と同じとなり、同様に、図１５（ｅ）、（ｆ）の画像信号Ｃ（１）とＧ（１．５）を合成した画像信号Ｄ（１）（図１５（ｈ））は、図１５（ａ）の画像信号Ａ（１）と同じとなるので、静止画像の画素密度を維持したまま表示することができる。
【００６１】
図１６（ａ）〜（ｇ）は、画像信号Ａ、Ｂ、Ｃ、Ｇ、Ｈと表示画像Ｅの時間的な関係を示した図である。図１６（ａ）〜（ｇ）では、信号処理に伴う遅延は含まれていない。サンプリング部３で再サンプリングされた、図１６（ｃ）に示される画像信号Ｃ（２ｔ）、Ｃ（２ｔ＋１）は、画像受信部２で受信した、図１６（ａ）に示される画像信号Ａ（２ｔ）及びＡ（２ｔ＋１）と時間的に同じ位置にあり、補間画像生成部１０で生成された、図１６（ｄ）に示される補間画像Ｇ（２ｔ＋０．５）は、Ｃ（２ｔ）とＣ（２ｔ＋１）の時間的に中間の位置の画像信号であり、補間画像Ｇ（２ｔ＋１．５）は、Ｃ（２ｔ＋１）と次のＣ（２ｔ）の時間的に中間の位置の画像信号である。
【００６２】
画像信号Ｃ（２ｔ）と画像信号Ｇ（２ｔ＋０．５）は、画像合成部１１で、図１６（ｅ）に示すように、画像信号Ｈ（２ｔ）に合成され、画像信号Ｃ（２ｔ＋１）と画像信号Ｇ（２ｔ＋１．５）は、画像合成部１１で図１６（ｅ）に示すように画像信号Ｈ（２ｔ＋１）に合成される。画像合成部１１で合成された画像信号Ｈ（２ｔ）は、画像表示部６で２つのサブフレームＥ（２ｔ）とＥ（２ｔ＋０．５）として表示される（図１６（ｆ）、（ｇ））。また、画像信号Ｈ（２ｔ＋１）は、サブフレームＥ（２ｔ＋１）とＥ（２ｔ＋１．５）として表示される。この表示されるサブフレームの画像Ｅ（２ｔ）は、Ｃ（２ｔ）を表示したもので、Ｅ（２ｔ＋０．５）はＧ（２ｔ＋０．５），Ｅ（２ｔ＋１）はＣ（２ｔ＋１）、Ｅ（２ｔ＋１．５）はＧ（２ｔ＋１．５）をそれぞれ表示したものである。
【００６３】
以上説明したように、入力された画像信号に対して、所定の位置の画素を再サンプリングするとともに、連続する複数の画像信号の時間的に中間の位置にある補間画像を生成し、再サンプリングされた画像信号と時間的に補間された画像信号を合成して画像表示部に伝送し、画像表示部では、合成された画像信号を合成前の再サンプリングされた画像信号と補間された画像信号に分解し、それぞれの画像を各々の画像を構成する画素位置で順次表示することで、入力された画像信号と同じ画素数、すなわち単位時間に画像表示部へ伝送する画素数を増やすことなく、動画の表示特性（動画のぼやけやジャダーとよばれるギクシャクした動き）を向上できるとともに、静止画の画素密度を低下させることなく表示することができる。
【００６４】
なお、上記動作の説明では、画像合成部１１は、再サンプリングされた画像信号Ｃ（０）と補間画像Ｇ（０．５）を合成して合成画像信号Ｄ（０）を生成する場合を示したが、補間画像Ｇ（０．５）と再サンプリングされた画像信号Ｃ（１）を合成して合成画像信号Ｄ（１）としても良く、合成画像を生成する際のメモリを削減することができる。
【００６５】
実施の形態３．
図１７は、本発明の実施の形態３に係る画像発生装置の構成を示す図である。画像発生装置１３は、その外部に配置された画素ずらし表示方法を用いて少ない画素数で高い画素密度の表示を行う画像表示部６に電気的、あるいは光や電波等によって接続され、これら接続手段に応じた信号形式により画像信号Ｆを画像表示部６に送出する。ここで、画像表示部６の画素の配置と画素ずらしの方向やタイミングが既知であるとする。
【００６６】
例えば、画像表示部６は、図１８（ａ）及び（ｂ）に示した画像信号Ｆを受信し、図１９（ａ）〜（ｃ）に示したように受信した１枚の画像信号Ｆ（２ｔ）を表示画像Ｅ（２ｔ）とＥ（２ｔ＋０．５）の２回に分割して表示する。
このときフレーム２ｔでは、画像信号Ｆ（２ｔ）の白丸で示された画素、即ち図２０（ｃ）に示される、分解後の表示画像Ｅ（２ｔ）の画素（Ｐｆ（ｘ，ｙ，２ｔ））が表示され、表示部６では、図２０（ａ）に示されるように、画素ずらしは行われず、表示画素Ｐｅ（ｌ，ｍ，２ｔ）の位置（画素の見かけ上の位置）は、画素の実際の位置と同じで、図２０（ａ）に実線で示すごとくとなる。
【００６７】
フレーム２ｔ＋０．５では、画像信号Ｆ（２ｔ）の黒丸で示された画素、即ち図２０（ｄ）に示される、分解後の表示画像Ｅ（２ｔ＋０．５）の画素（Ｐｆ（ｘ，ｙ，２ｔ））が表示され、表示部６では、図２０（ｂ）に示されるように、画素ずらしが行われ、表示画素Ｐｅ（ｌ，ｍ，２ｔ＋０．５）の位置（画素の見かけ上の位置）は、図２０（ｂ）に実線で示すごとくとなる。
同様に、画像信号Ｆ（２ｔ＋１）を表示画像Ｅ（２ｔ＋１）とＥ（２ｔ＋１．５）の２回に分割して表示する。
【００６８】
このときフレーム２ｔ＋１では、画像信号Ｆ（２ｔ＋１）の白三角で示された画素、即ち図２１（ｃ）に示される、分解後の表示画像Ｅ（２ｔ＋１）の画素（Ｐｆ（ｘ，ｙ，２ｔ＋１）が表示され、表示部６では、図２１（ａ）に示すように、画素ずらしは行われず、表示画素Ｐｅ（ｌ，ｍ，２ｔ＋１）の位置（画素の見かけ上の位置）は、画素の実際の位置と同じで、図２１（ａ）に実線で示すごとくとなる。
フレーム２ｔ＋１．５では、画像信号Ｆ（２ｔ）の黒三角で示された画素、即ち、図２１（ｄ）に示される、分解後の表示画像Ｅ（２ｔ＋１．５）の画素（Ｐｆ（ｘ，ｙ，２ｔ＋１））が表示され、表示部６では図２１（ｂ）に示すように、画素ずらしが行われ、表示画素Ｐｅ（ｌ，ｍ，２ｔ＋１．５）の位置（画素の見かけ上の位置）は、図２１（ｂ）に実線で示すごとくとなる。
【００６９】
画像発生装置１４の画像発生部１は、画像表示部６のサブフレームの周期で画像信号Ａを発生する。画像発生部１が発生した画像信号Ａは、サンプリング部３で再サンプリングされ、再サンプリングされた画像信号Ｃが画像合成部４に入力される。サンプリング部３における再サンプリング動作については、実施の形態１の動作の説明と同じであるので動作の説明を省略する。
【００７０】
画像合成部４は、画像メモリ５を用いて、少なくとも２フレーム（２枚）の再サンプリングされた画像信号Ｃを空間的に合成して１枚の合成画像信号Ｄを生成する。画像合成部４で合成された合成画像Ｄは、画像送信部１２に入力され、画像送信部１２から画像信号Ｆが画像表示部６に出力される。
【００７１】
画像送信部１２から出力された画像信号Ｆは、２つのフレームの画像信号が図２０（ｃ）、図２１（ｄ）の白丸と黒丸で示した位置に空間的に合成されているので、この画像信号Ｆを受信した画像表示部６は、フレーム２ｔの画像をＥ（２ｔ）として表示し（図２０（ａ））、フレーム２ｔ＋０．５の画像をＥ（２ｔ＋０．５）として表示し（図２０（ｂ））、同様に画像信号Ｆは、２つのフレームの画像信号が図２１（ｃ）、図２１（ｄ）の白三角と黒三角で示した位置に空間的に合成されているので、この画像信号Ｆを受信した画像表示部６は、フレーム２ｔ＋１の画像をＥ（２ｔ＋１）として表示し（図２１（ａ））、フレーム２ｔ＋１．５の画像をＥ（２ｔ＋１．５）として表示する（図２１（ｂ））ので、画像表示部６に伝送する画素数が同じであっても、短いフレーム周期で動画像を表示できるようになるため、動画のぼやけやジャギーの発生を抑え、動画表示性能を向上させることができる。
【００７２】
以上説明したように画素ずらしの機能を有する画像表示部に対して、画像表示部のフレーム周期より早い周期、より具体的には、画像表示部の画素ずらしのサブフレーム周期で画像信号を発生し、発生した複数のフレームの画像信号を画像表示部の画素ずらしに合わせて画素のサンプリングと合成を行って１フレームの合成画像信号を生成することで、画像表示部では、サブフレームの周期で動画像を表示できるようになるため、動画のぼやけやジャギーの発生を抑え、動画表示性能を向上させることができる。
【００７３】
なお、上記動作の説明では、画像発生装置１３の画像発生部１は、画像表示部６のサブフレームの周期で１枚の画像を発生し、サンプリング部３で画素ずらしに合わせて画素を再サンプリングする場合について示したが、画像発生部１は、画像表示部６の画素に合わせた位置の画素データのみを発生するようにすることで、サンプリング部３は、不要となり、画像発生部１の負荷も軽くなる。
【図面の簡単な説明】
【００７４】
【図１】本発明の実施の形態１に係る画像表示装置を示すブロック図である。
【図２】図１の画像表示部６の一例を示すブロック図である。
【図３】（ａ）乃至（ｄ）は液晶表示パネルの画素配列及び表示方法を示す図である。
【図４】（ａ）乃至（ｅ）は、画像表示装置の動作を示す図である。
【図５】（ａ）及び（ｂ）は、画像受信部３からフレーム２ｔ及びフレーム２ｔ＋１に出力される画像信号Ｂで表される画素を示す図である。
【図６】（ａ）及び（ｂ）は、図５（ａ）及び（ｂ）の画素のうち、フレーム２ｔ及びフレーム２ｔ＋１で再サンプリングされる画素を示す図である。
【図７】（ａ）及び（ｂ）は、サンプリング部３からフレーム２ｔ及びフレーム２ｔ＋１に出力される画像信号Ｃで表される画素を示す図である。
【図８】画像合成部４から出力される画像信号Ｄで表される画素を示す図である。
【図９】（ａ）乃至（ｄ）は、画像表示部の動作を示す図である。
【図１０】合成表示画像を示す図である。
【図１１】（ａ）乃至（ｈ）は、静止画の表示動作を示す図である。
【図１２】（ａ）乃至（ｈ）は、動画の表示動作を示す図である。
【図１３】本発明の実施の形態２に係る画像表示装置を示すブロック図である。
【図１４】（ａ）乃至（ｌ）は、実施の形態２の画像表示装置の動作を示す図である。
【図１５】（ａ）乃至（ｌ）は、静止画の場合の動作を示す図である。
【図１６】（ａ）乃至（ｇ）は、画像表示装置の動作を示す図である。
【図１７】本発明の実施の形態３に係る画像発生装置を示すブロック図である。
【図１８】（ａ）及び（ｂ）は、表示装置の出力画像信号について説明するための図である。
【図１９】（ａ）乃至（ｃ）は、画像表示部の動作を示す図である。
【図２０】（ａ）乃至（ｄ）は、画像表示部の動作を示す図である。
【図２１】（ａ）乃至（ｄ）は、画像表示部の動作を示す図である。
【符号の説明】
【００７５】
１  画像発生部、  ２  画像受信部、  ３  サンプリング部、  ４  画像合成部、  ５  画像メモリ、  ６  画像表示部、  ７  画像表示装置。
【図１】
2008286908.tif 000003
【図２】
2008286908.tif 000004
【図３】
2008286908.tif 000005
【図４】
2008286908.tif 000006
【図５】
2008286908.tif 000007
【図６】
2008286908.tif 000008
【図７】
2008286908.tif 000009
【図８】
2008286908.tif 000010
【図９】
2008286908.tif 000011
【図１０】
2008286908.tif 000012
【図１１】
2008286908.tif 000013
【図１２】
2008286908.tif 000014
【図１３】
2008286908.tif 000015
【図１４】
2008286908.tif 000016
【図１５】
2008286908.tif 000017
【図１６】
2008286908.tif 000018
【図１７】
2008286908.tif 000019
【図１８】
2008286908.tif 000020
【図１９】
2008286908.tif 000021
【図２０】
2008286908.tif 000022
【図２１】
2008286908.tif 000023